(57)【特許請求の範囲】
【請求項１】
無線通信機能を内蔵した無線通信カードと、
無線通信用の外部アンテナと、
前記無線通信カード及び前記外部アンテナを相互に接続する接続ケーブルと、
前記無線通信カードと前記外部アンテナと前記接続ケーブルとを収納するケース本体と、
前記ケース本体の蓋体と、
前記外部アンテナを前記ケース本体内に収納した状態で使用可能とし、前記ケース本体内に収納された前記外部アンテナを使用時に略鉛直方向に保持可能とするアンテナ保持手段と、
前記ケース本体又は前記蓋体の外側面に付設されると共に一端部が回動自在に支持されて前記外部アンテナを収納するアンテナケースと、を備え、
前記アンテナ保持手段が、前記アンテナケースを前記ケース本体又は前記蓋体に対して略直交した角度に保持可能な係止構造により構成されていることを特徴とする無線通信カード用収納ケース。
【発明の詳細な説明】
【０００１】
【発明の属する技術分野】
本発明は、無線通信機能を内蔵した無線通信カードと、無線通信用の外部アンテナと、これら無線通信カード及び外部アンテナを相互に接続する接続ケーブルとを収納する無線通信カード用収納ケースの改良に関するものである。
【０００２】
【従来の技術】
一般に、パーソナルコンピュータや携帯情報端末等を通信回線に接続してデータを送受信する場合には、ＰＣカードの内部にＰＨＳ（パーソナル・ハンディホン・システム）のような無線通信機能を内蔵した無線通信カードが使用されている。
例えば、図１３に示した無線通信カードであるＰＣカードモデム１００は、無線通信機能を内蔵した筐体部１０１と、この筐体部１０１の下端から突出したＰＣカード部１０２と、筐体部１０１の上部に折り畳み自在に設けられたアンテナ１０３とからなり、パーソナルコンピュータ１０５に設けられたＰＣカードスロット１０４へＰＣカード部１０２を挿入、接続して使用されている。
【０００３】
ところが、このようなＰＣカードモデム１００を用いてデータを送受信する場合、使用状況によっては電波状態が良くなく、良好な無線通信を行えないことがある。そこで、図示しない外部アンテナと筐体部１０１とを接続ケーブルを介して接続して使用することも行われている。
そこで、使用者はＰＣカードモデム１００と共に、外部アンテナや接続ケーブルをも持ち歩かねばならない。この際、ホコリ等が付着するのを防止するため、持ち歩き時にはこれらを収納ケースや収納袋等に収納するのが一般的である。
【０００４】
【発明が解決しようとする課題】
しかしながら、このような外部アンテナや接続ケーブルを持ち歩いて使用する場合には、収納ケースや収納袋等からＰＣカードモデム１００と共に外部アンテナや接続ケーブルを取り出した後、この接続ケーブルを介して外部アンテナとＰＣカードモデム１００とを接続しなければならない。
【０００５】
又、上述の様な携帯用の外部アンテナとしては、アンテナ利得上、鉛直に近い角度（７０〜９０度）に立てた状態で使用することが望ましい。
そこで、前記接続ケーブルをＰＣカードモデム１００に接続した後、例えば、アンテナスタンド等を用いて外部アンテナを更に鉛直に保持した状態にセッティングしなければならない。
【０００６】
また、使用後には、これらＰＣカードモデム１００と共に外部アンテナや接続ケーブルを収納ケース等に収納しなければならず、面倒である。
従って、上述の如きＰＣカードモデム１００を用いてデータを送受信する為に、外部アンテナを持ち歩いて利用する場合には、利便性が低いという問題があった。
即ち、本発明の目的は上記課題を解消することに係り、小型・携帯性に優れ、外部アンテナ使用時の利便性が高い無線通信カード用収納ケースを提供することにある。
【０００７】
【課題を解決するための手段】
本発明の上記目的は、無線通信機能を内蔵した無線通信カードと、無線通信用の外部アンテナと、これら無線通信カード及び外部アンテナを相互に接続する接続ケーブルとが収納されると共に、前記外部アンテナをケース内に収納した状態で使用可能とし、ケース内に収納された前記外部アンテナを使用時に略鉛直方向に保持可能とするアンテナ保持手段が設けられていることを特徴とする無線通信カード用収納ケースにより達成される。
【０００８】
上記構成によれば、携帯時には無線通信カードと共に、無線通信用の外部アンテナ及び接続ケーブルを無線通信カード用収納ケース内に一体的に収納し、持ち歩くことができるので、携帯性に優れる。
又、無線通信カード及び外部アンテナを使用する際には、該外部アンテナを前記収納ケースに収納したままの状態で接続ケーブルを無線通信カードに接続すると共に、前記外部アンテナを該収納ケースに設けたアンテナ保持手段によって略鉛直方向に保持できるので、良好なアンテナ利得を確保することができる。
【０００９】
尚、好ましくは、前記無線通信カード用収納ケースが、ケース本体と、このケース本体に回動自在に枢着された蓋体とからなり、前記ケース本体又は蓋体に前記外部アンテナを保持すると共に、前記アンテナ保持手段が、これらケース本体及び蓋体を互いに略直交した開放角度に保持可能な係止構造により構成されている。
【００１０】
この場合、収納ケースを構成するケース本体又は蓋体に外部アンテナを保持し、ケース本体に回動自在に枢着された蓋体を開放して、係止構造によってケース本体と蓋体とを互いに略直交する角度に保持させる。
そして、この状態でケース本体又は蓋体のうち前記外部アンテナを保持していない方を基台として水平な台上等に置けば、外部アンテナをアンテナ利得上好ましい略鉛直な方向に容易に立設することができる。
【００１１】
更に、好ましくは前記アンテナ保持手段が、ケース外面に設けられた吊り下げ用フックにより構成されている。
この場合、外部アンテナを収納ケースに収納したままの状態で接続ケーブルを無線通信カードに接続すると共に、該収納ケースのケース外面に設けた吊り下げ用フックを例えば壁等に取付けられている引掛け部等に引っ掛けることで、収納ケース内に収納された該外部アンテナをアンテナ利得上好ましい略鉛直な方向に容易に保持できる。
【００１２】
又、好ましくは前記アンテナ保持手段が、ケース外面に設けられた吸盤部材により構成されている。
この場合、外部アンテナを収納ケースに収納したままの状態で接続ケーブルを無線通信カードに接続すると共に、該収納ケースのケース外面に設けた吸盤部材を例えば平滑な窓ガラス等に吸着させることで、収納ケース内に収納された該外部アンテナをアンテナ利得上好ましい略鉛直な方向に容易に保持できる。
尚、吸盤部材は、不使用時には取り外して収納ケース内部に収納するように構成するのが好ましい。
【００１３】
更に好ましくは、前記無線通信カード用収納ケースが、前記ケース本体と、前記蓋体と、前記ケース本体又は蓋体の外側面に付設されると共に一端部が回動自在に支持されて前記外部アンテナを収納するアンテナケースとからなり、
前記アンテナ保持手段が、前記アンテナケースを前記ケース本体又は蓋体に対して略直交した角度に保持可能な係止構造により構成されている
【００１４】
この場合、外部アンテナをアンテナケースに収納したままの状態で接続ケーブルを無線通信カードに接続すると共に、該アンテナケースをケース本体又は蓋体に対して略直角になるまで回動させ、係止構造によって該アンテナケースをケース本体又は蓋体に対して略直角に保持させる。
そして、この状態で収納ケースを基台として水平な台上等に置けば、アンテナケースに収納した前記外部アンテナをアンテナ利得上好ましい略鉛直な方向に容易に立設することができる。
【００１５】
【発明の実施の形態】
以下、添付図面に基づいて本発明の一実施形態に係る無線通信カード用収納ケースを詳細に説明する。
本第１実施形態の無線通信カード用収納ケース１は、図１乃至図３に示したように、無線通信カードとしてのＰＣカードモデム３と、無線通信用の外部アンテナ５と、これらＰＣカードモデム３及び外部アンテナ５を相互に接続する接続ケーブル７とを一体的に収納する合成樹脂製の収納ケースである。
【００１６】
そして、前記無線通信カード用収納ケース１は、外部アンテナ５及び接続ケーブル７を所定位置に収納する扁平な箱状のケース本体９と、このケース本体９に回動自在に枢着されて前記ＰＣカードモデム３を収納する平板状の蓋体１１とを有している。
【００１７】
前記ケース本体９は、図４を併せて参照するに、平板矩形状の天板１３と、この天板１３の長手方向に沿った両側縁（図３中、左右両側縁）に垂設された側壁15Ｌ，１５Ｒと共に、長手方向前端縁（図２中、右端縁）に垂設された前壁１７を有している。
又、前記天板１３の長手方向後端部（図２中、左端部）に垂設された後壁１９は、後述する蓋体１１に設けられているポケット部７１の上壁に先端が当接するので、ケース本体９の約半分の高さとなっている。
【００１８】
前記両側壁15Ｌ，１５Ｒの後端は、図４に示したように、それぞれ後壁１９より後方へ突出しており、その各内側面には、前記蓋体１１を回動自在に枢着するための円柱形状の回動軸用突起２５が突設されている。そして、対応する蓋体１１の両側面には、前記回動軸用突起２５が嵌合する回動軸用凹部２７（図７，８参照）が凹設されている。
なお、組立て時にこの回動軸用突起２５を前記回動軸用凹部２７に嵌合させるのを容易とするために、図７及び図８に示したように、蓋体１１の両側面には、外周縁から前記回動軸用凹部２７に連通する誘い込み用のテーパー溝２９が設けられている。
【００１９】
そして、前記ケース本体９には、前述したように外部アンテナ５と、該外部アンテナ５をＰＣカードモデム３に接続する接続ケーブル７が収納される。また、前記接続ケーブル７の先端には、ＰＣカードモデム３における筐体部６９のコネクタ部７０に接続するためのコネクタプラグ３１が取付けられており、このコネクタプラグ３１もケース本体９に収納される。
【００２０】
前記外部アンテナ５は、図１に示したように、略丸棒状の所謂スリーブアンテナであり、接続ケーブル７と接続される基端側の大径部３５と、円錐状部３７を介して先端側に延びる小径部３３とを備えている。また、前記外部アンテナ５の基端部には、接続部３９を介して前記接続ケーブル７が、外部アンテナ５の中心軸線と直交する方向へ取付けられている。
そして、前記外部アンテナ５は、図４に示したように、前記ケース本体９の側壁１５Ｌに沿って収納されている。
【００２１】
又、前記外部アンテナ５の一端部である基端部（図４中、下端部）には、図４に拡大して示したように、例えば半球状の嵌合凹部４１が設けられており、この嵌合凹部４１にピボット嵌合して軸線直角方向への移動を阻止すると共に中心軸線回りに回転可能に前記外部アンテナ５を保持するための円錐形の嵌合突起４３が、前記ケース本体９の後壁１９内面に突設されている。
【００２２】
一方、前記嵌合突起４３が外部アンテナ５の嵌合凹部４１に嵌合した状態で、該外部アンテナ５の他端部である先端部（図４中、上端部）が位置する前記天板１３の内面には、弾性可撓片４５が突設されている。この弾性可撓片４５は、外部アンテナ５の先端部を基端部側に弾性付勢し、嵌合突起４３に対する前記嵌合凹部４１の嵌合状態を保持する。
【００２３】
更に、前記嵌合突起４３が外部アンテナ５の嵌合凹部４１に嵌合した状態で、該外部アンテナ５の円錐状部３７が位置する前記天板１３の内面には、貫通穴４９が穿設されたアンテナ保持用リブ４７が形成されている。この貫通穴４９の内径は、前記外部アンテナ５の小径部３３よりも大きく、大径部３５よりは小さくされている。
【００２４】
そして、前記外部アンテナ５をケース本体９に収納保持する際には、先ず、図４中下側から外部アンテナ５の小径部３３の先端をアンテナ保持用リブ４７の貫通穴に通し、該小径部３３の先端を弾性可撓片４５に押し付けて撓ませる。
次に、この状態で外部アンテナ５の基端部に設けた嵌合凹部４１をケース本体９の嵌合突起４３に嵌合させる。すると、前記弾性可撓片４５の復元力が、外部アンテナ５の嵌合凹部４１をケース本体９の嵌合突起４３に押し付けて嵌合させるので、外部アンテナ５は軸線回りに回転可能な状態で確実に保持される。
【００２５】
前記ケース本体９の天板１３の内面には、図１乃至図４に示したように、前記接続ケーブル７を所定の位置に保持するためのケーブル保持ガイド５１が一体成形されている。このケーブル保持ガイド５１は、長円形状の内壁リブ５３と、この内壁リブ５３との間に接続ケーブル７を挟み込むために一定間隔を保持して内壁５３と平行に設けられている外壁リブ５５とから構成されている。
【００２６】
また、図４を参照するに、前記接続ケーブル７の先端に取付けられているコネクタプラグ３１を固定するためのコネクタプラグ保持部５７が、前述した内壁リブ５３の内方に設けられている。
このコネクタプラグ保持部５７は、前記コネクタプラグ３１の両側面に設けられているロック解除用ツマミ部５９，５９に対応する位置に設けられている左右一対のプラグ保持壁６１，６１と、コネクタプラグ３１の前方への移動範囲を規制する前規制壁６３と、コネクタプラグ３１の後方への移動範囲を規制する後規制壁６５，６５とが、ケース本体９の天板１３内面に一体成形されて構成されている。
【００２７】
即ち、前記接続ケーブル７をケーブル保持ガイド５１の内部に収納すると共に、前記コネクタプラグ３１を一対のプラグ保持壁６１，６１の間に挿入することにより、該コネクタプラグ３１のロック解除用ツマミ部５９，５９が押圧付勢状態に挟持される。そこで、コネクタプラグ３１は、ロック解除用ツマミ部５９，５９の弾性復元力により一対のプラグ保持壁６１，６１の間に確実に保持される。
【００２８】
前記ＰＣカードモデム３は、無線通信機能を内蔵した筐体部６９と、この筐体部６９の下端から突出した平板状のＰＣカード部６７と、筐体部６９の上部に折り畳み自在に設けられたアンテナ６８とからなり、背面に設けられたコネクタ部７０に前記コネクタプラグ３１が接続される。
そして、前記ＰＣカード部６７の先端部を前記蓋体１１に設けたポケット部７１（図１参照）に挿入することにより、蓋体１１を閉じた際にケース本体９のケーブル保持ガイド５１およびコネクタプラグ保持部５７の上に重なるようにして、ＰＣカードモデム３が無線通信カード用収納ケース１内に収納される。
【００２９】
即ち、ＰＣカードモデム３の薄い平板状のＰＣカード部６７は、上述したケーブル保持ガイド５１及びコネクタプラグ保持部５７に重ねて収納されており、ＰＣカード部６７より厚いため突出する筐体部６９は、ケーブル保持ガイド５１に干渉しない空間（図２中、右側の空間）に収納されている。これにより、無線通信カード用収納ケース１の厚さを最小とすることができる。
【００３０】
また、筐体部６９の幅はＰＣカード部６７に比して若干広くなっているが、該筐体部６９は収納される外部アンテナ５の小径部３３の横に位置するように配置されており、前記無線通信カード用収納ケース１の幅を最小とすることができる。
従って、本第１実施形態の無線通信カード用収納ケース１は、ＰＣカードモデム３と共に外部アンテナ５及び接続ケーブル７を一体的に収納しているにもかかわらず、外形を小さくしてコンパクト化を図ることができ、容易に持ち歩くことができるので、携帯性に優れる。
【００３１】
そして、前記ＰＣカードモデム３及び前記外部アンテナ５を使用する際には、回動軸用突起２５を回動中心として蓋体１１をケース本体９に対して回動させて開放し、取り出したＰＣカードモデム３をパーソナルコンピュータ１０５のＰＣカードスロットへ挿入、接続する。
次に、前記外部アンテナ５をケース本体９内に収納したままの状態で接続ケーブル７を引出し、図５に示したように、コネクタプラグ３１をＰＣカードモデム３のコネクタ部７０に接続する。
この時、前記外部アンテナ５は、軸線回りに回転可能な状態でケース本体９に保持されているので、接続ケーブル７を所望の方向へ引き出すことができる。
【００３２】
更に、蓋体１１をケース本体９に対して２７０度以上回動させた後、ケース本体９の後壁１９を蓋体１１の外側面に当接させて回動を規制する本第１実施形態の係止構造によって、図６に示すように、ケース本体９と蓋体１１とを互いに略直交する開放角度に保持させる。
即ち、前記ケース本体９に対する蓋体１１の回動中心である回動軸用突起２５の位置や、前記ケース本体９の後壁１９が蓋体１１の外側面に当接する当接位置を適宜設定することで、ケース本体９及び蓋体１１の開放角度が決定される。
【００３３】
尚、本第１実施形態においては、ケース本体９の後壁１９を蓋体１１の外側面に当接させて回動を規制する係止構造としたが、例えばケース本体９の両側面と蓋体１１の両側面との間にそれぞれ嵌合突起と嵌合凹部を設け、これら嵌合突起と嵌合凹部を嵌合させることで、ケース本体９と蓋体１１とを互いに略直交する開放角度に保持させることもできる。
【００３４】
そして、図６に示したように、前記蓋体１１が基台となるように前記無線通信カード用収納ケース１を水平な台上７５に置くことで、ケース本体９内に収納したままの状態の外部アンテナ５が、台上７５に対して保持角度θに保持される。
なお、前記外部アンテナ５の利得上、前記保持角度θは７０度以上が好ましい。但し、保持角度θが９０度に近い場合や、９０度を超えた場合には、ケース本体９が倒れるおそれがでてくるので、９０度よりも小さな角度とする。
【００３５】
更に、前記ケース本体９内に収納された外部アンテナ５は、図９に示したように、ケース本体９に設けられている嵌合突起４３と、アンテナ保持用リブ４７の貫通穴４９との位置関係を適宜設定することにより、中心軸線のアンテナ先端側がケース本体９の天板１３内面に対して傾斜角度αを有するように保持されている。
そこで、前記ケース本体９内に収納された外部アンテナ５は、図６に示したように、台上７５に対する保持角度θが、ケース本体９と蓋体１１との開放角度よりも傾斜角度α分だけ鉛直に近い角度に立てられる。
【００３６】
又、図６に示したように、蓋体１１を基台としてケース本体９が略鉛直な方向に立設されている際、該ケース本体９に外力Ｆが作用した場合には、ケース本体９の後壁１９が蓋体１１の外側面に当接する当接位置を支点Ａとして、回動軸用突起２５に矢印Ｂ方向の力が作用する。
そこで、図７及び図８に示したように、前記蓋体１１の両側面の外周縁から前記回動軸用凹部２７に連通する誘い込み用のテーパー溝２９を上記矢印Ｂ方向と一致する方向に形成することで、過度の外力Ｆが作用した場合に回動軸用突起２５が回動軸用凹部２７から外れ易くなり、該回動軸用突起２５の破損を防止することができる。
【００３７】
従って、本第１実施形態の無線通信カード用収納ケース１によれば、ケース本体９に回動自在に枢着された蓋体１１を回動が規制されるまで開放した後、該蓋体１１が基台となるように水平な台上７５に置くことで、前記ケース本体９内に収納された外部アンテナ５を使用時に略鉛直方向に保持可能とするアンテナ保持手段が構成されている。そこで、アンテナスタンド等を別途用いることなく、前記外部アンテナ５をアンテナ利得上好ましい略鉛直な方向に容易に立設することができる。
【００３８】
尚、本発明の無線通信カード用収納ケースに係るアンテナ保持手段は、ケース本体９に回動自在に枢着された蓋体１１の外側面に該ケース本体９の後壁１９を当接させて回動を規制する係止構造により構成された上記第１実施形態におけるアンテナ保持手段に限定されるものではない。
【００３９】
例えば、図１０に示した本発明の第２実施形態に係る無線通信カード用収納ケース８１によれば、ケース内に収納された外部アンテナ５を使用時に略鉛直方向に保持可能とするアンテナ保持手段が、ケース外面であるケース本体９の前壁１７に設けられた吊り下げ用フック７７により構成されている。
【００４０】
そこで、外部アンテナ５をケース本体９に収納したままの状態で接続ケーブル７を図示しないＰＣカードモデムに接続すると共に、前記吊り下げ用フック７７を例えば壁７９等に取付けられている引掛け部８２に引っ掛けることで、無線通信カード用収納ケース８１内に収納された該外部アンテナ５をアンテナ利得上好ましい略鉛直な方向に容易に保持できる。
【００４１】
尚、前記ケース本体９において外部アンテナ５が収納されているのと反対側の側壁１５Ｒに、接続ケーブル７を引出す為の切欠き８３を設けることにより、蓋体１１を閉じた状態で接続ケーブル７を無線通信カード用収納ケース８１から引き出して使用することができる。
【００４２】
又、図１１に示した本発明の第３実施形態に係る無線通信カード用収納ケース８８によれば、前記アンテナ保持手段が、ケース外面であるケース本体９の天板１３外面に設けられる吸盤部材８５により構成される。
この場合、外部アンテナ５をケース本体９に収納したままの状態で接続ケーブル７を図示しないＰＣカードモデムに接続すると共に、該ケース本体９の天板１３外面に設けた吸盤部材８５を例えば平滑な窓ガラス等に吸着させることで、無線通信カード用収納ケース８８内に収納された該外部アンテナ５をアンテナ利得上好ましい略鉛直な方向に容易に保持できる。
【００４３】
尚、前記吸盤部材８５は、不使用時にはケース本体９の天板１３に設けた取付け部８７に内面から装着されてケース本体９の内部に収容保持されると共に、使用時には取り外して前記取付け部８７に外面から装着できるように構成されている。
【００４４】
更に、図１２に示した本発明の第４実施形態に係る無線通信カード用収納ケース９３は、ケース本体９の側面に付設されると共に、一端部が回動自在に支持されて前記外部アンテナ５を収納するアンテナケース９１を備えている。
そして、前記アンテナケース９１は、ケース本体９に対して略直交した角度に保持可能な係止構造（回動枢軸部の摩擦抵抗等）を備えることで、該アンテナケース９１内に収納された前記外部アンテナ５を使用時に略鉛直方向に保持可能とするアンテナ保持手段を構成している。
【００４５】
即ち、前記外部アンテナ５をアンテナケース９１に収納したままの状態で接続ケーブル７を図示しないＰＣカードモデムに接続すると共に、前記アンテナケース９１をケース本体９に対して略直角になるまで回動させ、前記係止構造によって該アンテナケース９１をケース本体９に対して略直角に保持させる。
そして、この状態でケース本体９を基台として水平な台上等に置けば、アンテナケース９１に収納した前記外部アンテナ５をアンテナ利得上好ましい略鉛直な方向に容易に立設することができる。なお、アンテナケースと外部アンテナは、一体に形成してもよい。
【００４６】
尚、本発明の無線通信カード用収納ケースに係る無線通信カード、外部アンテナ及び接続ケーブルの構成は、上記実施形態の構成に限定されるものではなく、本発明の趣旨に基づいて種々の形態を採りうることは云うまでない。
例えば、上記実施形態においては、無線通信機能を内蔵した無線通信カードとして所謂ＰＣカードモデムを用いたが、無線ＬＡＮカード等の他の無線通信カードにも応用できることは勿論である。
【００４７】
【発明の効果】
上述した如き本発明の無線通信カード用収納ケースによれば、携帯時には無線通信カードと共に、無線通信用の外部アンテナ及び接続ケーブルを無線通信カード用収納ケース内に一体的に収納し、持ち歩くことができるので、携帯性に優れる。
又、無線通信カード及び外部アンテナを使用する際には、該外部アンテナを前記収納ケースに収納したままの状態で接続ケーブルを無線通信カードに接続すると共に、前記外部アンテナを該収納ケースに設けたアンテナ保持手段によって略鉛直方向に保持できるので、良好なアンテナ利得を確保することができる。
又、収納ケースから取り出す必要がなく、且つ、容易に略鉛直方向に保持できるため、外部アンテナ使用時のセッティングを容易にすることができる。
【図面の簡単な説明】
【図１】本発明の第１実施形態に係る無線通信カード用収納ケースの全体斜視図である。
【図２】図１に示した無線通信カード用収納ケースの一部破断正面図である。
【図３】図１に示した無線通信カード用収納ケースの一部破断側面図である。
【図４】図１に示したケース本体に収納された外部アンテナ及び接続ケーブルの収納状態を示す平面図である。
【図５】図１に示した無線通信カード用収納ケースの使用状態を示す斜視図である。
【図６】図５に示した無線通信カード用収納ケースの正面図である。
【図７】図１に示した蓋体がケース本体に対して回動自在に枢着される回動軸用凹部の拡大斜視図である。
【図８】図１に示した蓋体がケース本体に対して回動自在に枢着される部分の拡大断面図である。
【図９】図１に示した無線通信カード用収納ケースの縦断面図である。
【図１０】本発明の第２実施形態に係る無線通信カード用収納ケースの全体斜視図である。
【図１１】本発明の第３実施形態に係る無線通信カード用収納ケースの分解斜視図である。
【図１２】本発明の第４実施形態に係る無線通信カード用収納ケースの全体斜視図である。
【図１３】無線通信カードの使用状態を示す要部斜視図である。
【符号の説明】
１  無線通信カード用収納ケース
３  ＰＣカードモデム（無線通信カード）
５  外部アンテナ
７  接続ケーブル
９  ケース本体
１１  蓋体
【図１】
0004531283.tif 000002
【図２】
0004531283.tif 000003
【図３】
0004531283.tif 000004
【図４】
0004531283.tif 000005
【図５】
0004531283.tif 000006
【図６】
0004531283.tif 000007
【図７】
0004531283.tif 000008
【図８】
0004531283.tif 000009
【図９】
0004531283.tif 000010
【図１０】
0004531283.tif 000011
【図１１】
0004531283.tif 000012
【図１２】
0004531283.tif 000013
【図１３】
0004531283.tif 000014